(57)【要約】【課題】障子が枠体から、より外れ難い建具を提供する。【解決手段】見付け方向に移動可能な障子と、前記障子を案内するためのレール及び前記レールと平行に設けられたガイドを備えた上枠と、前記ガイドと解離不能に係合され当該ガイドに案内されて移動可能な移動部材と、前記障子の上框に固定され、前記移動部材と解離不能に係合しつつ当該移動部材に対して相対的にスライド可能なスライド部材と、を備えた。【選択図】図２
2009197513.tif 000002
【特許請求の範囲】
【請求項１】
見付け方向に移動可能な障子と、
前記障子を案内するためのレール及び前記レールと平行に設けられたガイドを備えた上枠と、
前記ガイドと解離不能に係合され当該ガイドに案内されて移動可能な移動部材と、
前記障子の上框に固定され、前記移動部材と解離不能に係合しつつ当該移動部材に対して相対的にスライド可能なスライド部材と、
を備えたことを特徴とする建具。
【請求項２】
請求項１に記載の建具であって、
前記移動部材には、前記スライド部材の上下の部位が係合するスライド部材係合部が、見付け方向に沿って設けられていることを特徴とする建具。
【請求項３】
請求項１に記載の建具であって、
前記スライド部材には、前記移動部材の上下の部位が係合する移動部材係合部が、見付け方向に沿って設けられていることを特徴とする建具。
【請求項４】
請求項１乃至請求項３のいずれかに記載の建具であって、
前記移動部材は、前記ガイドと解離不能に係合されたガイド係合部材と、
前記スライド部材と解離不能に係合されたスライド係合部材と、を有し、
前記ガイド係合部材と前記スライド係合部材とは、上下方向における相対位置を変更可能に連結されていることを特徴とする建具。
【請求項５】
請求項４に記載の建具であって、
前記ガイドは、前記レールが垂設されている上面部に前記レールに沿って形成されたスリットと、前記上面部の下方の空間と前記スリットにて連通され前記ガイド係合部材が収容される収容部と、を有し、
前記移動部材は、前記ガイド係合部材が前記スリットの下方から当該スリットを通して前記収容部に挿入され、前記収容部内にて回転されることにより前記ガイドと解離不能に係合されるとともに前記スライド係合部材が前記上框に沿わされることを特徴とする建具。
【発明の詳細な説明】
【技術分野】
【０００１】
本発明は、見付け方向に移動可能な障子を備えた建具に関する。
【背景技術】
【０００２】
見付け方向に移動可能な障子を備えた建具としては、例えば、窓枠が有する内レールに案内される内障子と外レールに案内される外障子とを移動可能に備えた引き違い障子が知られている。このような引き違い障子には、内レールと外レールとの間に雨返しが立設されており、内障子には、下方外側に雨返しを覆うように張り出し、その先端が雨返しの外側に位置するように吊下げられた庇片が設けられているものがある。そして、内障子が持ち上がって庇片の下端が雨返しの上端より高くならないように内障子が当接される外れ止めピースが設けられている（例えば、特許文献１参照）。また、外障子は、内障子が外れない限り外れないように構成されている。
【特許文献１】特開平２−６９１３号公報
【発明の開示】
【発明が解決しようとする課題】
【０００３】
上述した建具のように、障子の外れ止めとして、障子が持ち上がったときに、障子の下端が枠に設けられた部位より高くならないように障子の上方への移動を規制する外れ止めピースを設けた場合であっても、障子と枠とは分離可能な互いに独立した部材であるため、例えば地震等により大きな力が作用したり、枠に歪みが生じた場合には、障子が枠から外れる畏れがあるという課題がある。
【０００４】
本発明は、かかる課題に鑑みてなされたものであり、その目的とするところは、枠体から障子が、より外れ難い建具を提供することにある。
【課題を解決するための手段】
【０００５】
かかる目的を達成するために本発明の建具は、見付け方向に移動可能な障子と、前記障子を案内するためのレール及び前記レールと平行に設けられたガイドを備えた上枠と、前記ガイドと解離不能に係合され当該ガイドに案内されて移動可能な移動部材と、前記障子の上框に固定され、前記移動部材と解離不能に係合しつつ当該移動部材に対して相対的にスライド可能なスライド部材と、を備えたことを特徴とする建具である。
【０００６】
このような建具によれば、障子の上框に固定されたスライド部材は、障子が案内されるレールが設けられた上枠のガイドに解離不能に係合された移動部材と解離不能に係合しているので、障子が上枠と解離不能に係合され、障子が上枠を有する枠体からが外れることを防止することが可能である。また、移動部材は障子が案内されるレールと平行に設けられたガイドに案内されて移動するので、障子と一体となって見付け方向に移動可能である。このため、移動部材により障子の滑らかな移動が阻害される畏れはない。
【０００７】
ところで、上枠には、例えばクレセントの保護のために障子の移動を規制するブロックや、障子と上枠との間隙を塞ぐための例えば風止め部材等が設けられている場合には、移動部材と障子とが一体となって移動した際には、移動部材の移動がブロックや風止め部材等により規制されることにより障子の移動範囲が狭められる畏れがある。しかしながら、上記建具によれば、障子に設けられたスライド部材は、上枠のガイド部に案内されて移動する移動部材に対し相対的にスライド可能なので、たとえ移動部材の移動が規制されたとしても、スライド部材が移動部材に対し相対的にスライドすることにより、障子が移動部材より広い領域を移動することが可能である。このため、障子の移動範囲が狭められることを防止することが可能である。
【０００８】
かかる建具であって、前記移動部材には、前記スライド部材の上下の部位が係合するスライド部材係合部が、見付け方向に沿って設けられていることが望ましい。  
このような建具によれば、移動部材に見付け方に沿って設けられたスライド部材係合部にスライド部材の上下の部位を係合させて、スライド部材と移動部材とを見付け方向に相対的にスライドさせることが可能である。
【０００９】
かかる建具であって、前記スライド部材には、前記移動部材の上下の部位が係合する移動部材係合部が、見付け方向に沿って設けられていることが望ましい。  
このような建具によれば、スライド部材に見付け方に沿って設けられた移動部材係合部に移動部材の上下の部位を係合させて、スライド部材と移動部材とを見付け方向に相対的にスライドさせることが可能である。
【００１０】
かかる建具であって、前記移動部材は、前記ガイドと解離不能に係合されたガイド係合部材と、前記スライド部材と解離不能に係合されたスライド係合部材と、を有し、前記ガイド係合部材と前記スライド係合部材とは、上下方向における相対位置を変更可能に連結されていることが望ましい。  
建具は、建て付け等によりレール上に載置された障子の位置を調節する必要があるが、障子に設けられたスライド部材と、上枠のガイドに解離不能に係合された移動部材とが解離不能に係合している場合には、スライド部材と移動部材とガイドとが遊び無く固定されていると、障子の位置を調節できない畏れがある。上記建具によれば、移動部材のガイド係合部材とスライド係合部材とが、上下方向における相対位置を変更可能に連結されているので、障子の位置調節が可能である。
【００１１】
かかる建具であって、前記ガイドは、前記レールが垂設されている上面部に前記レールに沿って形成されたスリットと、前記上面部の下方の空間と前記スリットにて連通され前記ガイド係合部材が収容される収容部と、を有し、前記移動部材は、前記ガイド係合部材が前記スリットの下方から当該スリットを通して前記収容部に挿入され、前記収容部内にて回転されることにより前記ガイドと解離不能に係合されるとともに前記スライド係合部材が前記上框に沿わされることが望ましい。  
このような建具によれば、上枠の収容部に収容されるガイド係合部材は、収容部と上面材の下方の空間とを連通するスリットを通して収容部に挿入されるので、上枠を有する枠体が取り付けられた後であっても移動部材を取り付けることが可能である。また、収容部に収容されたガイド係合部材は、移動部材が回転されることによりガイドと解離不能に係合されるので、ガイド係合部材を、スリットを通して収容部に挿入して回転させるだけで、容易に移動部材を解離不能に取り付けることが可能である。
【発明の効果】
【００１２】
本発明によれば、枠体から障子が、より外れ難い建具を提供することが可能である。
【発明を実施するための最良の形態】
【００１３】
以下、本発明の一実施形態に係る建具について図を参照して説明する。  
本実施形態に係る建具１０は、図１に示すように、屋内外を仕切る外壁に設けられる枠体１２と、枠体１２に開閉自在に設けられた引き違い障子２０、２１と、引き違い障子２０、２１が有する外障子２０が外れることを防止するための外れ防止部材３０と、を有している。
【００１４】
引き違い障子は、屋外側に設けられた外障子２０と、屋内側に設けられた内障子２１とを有し、各々面材としてガラス２９を備え、ガラス２９の周縁部を保持するための上框２０ａ、２１ａ、下框２０ｂ、２１ｂ、戸先框２０ｃ、２１ｃ、召合せ框２０ｄ、２１ｄを有している。また、外障子２０の召合せ框２０ｄと内障子２１の召合せ框２１ｄとを互いに係止させて施錠するクレセント（不図示）のフック部（不図示）が外障子２０に、回動されてフック部と係合する部位が内障子２１に、それぞれ上下方向の中央近傍に設けられている。
【００１５】
枠体１２は、上枠１４、下枠１５、左右の縦枠１６を有し、上枠１４には、内障子２１及び外障子２０を案内するための２本の上レール１４ａ（図２）が、上枠１４が有する上面部１４ｂから垂設されており、下枠１５には、上レール１４ａと対向する位置に下レール（不図示）が立設されている。また、図２に示すように、上枠１４には、２本の上レール１４ａ間に、当該上レール１４ａと平行に、外れ防止部材３０の後述する移動部材３２が案内されるガイド１４ｃが設けられている。
【００１６】
ガイド１４ｃは、２本の上レール１４ａ間に、上レール１４ａに沿って上面部１４ｂに形成されたスリット１４ｄと、上面部１４ｂの下方の空間、すなわち外障子２０及び内障子２１が取り付けられる空間とスリット１４ｄにて連通され、後述する移動部材３２のガイド係合部材３４が収容される収容部１４ｅと、を有している。
【００１７】
また、枠体１２には、内障子２１の召合せ框２１ｄに設けられたクレセントが、内障子２１を開けた際に縦枠１６に衝突しないように、内障子２１の移動を規制するストッパー１７が見付け方向の端部側に、外障子２０と内障子２１との召合せ框２０ｄ、２１ｄと上枠１４の上面部１４ｂとの間の空隙を閉塞するための風止め部材１８とが取り付けられている。
【００１８】
外れ防止部材３０は、図２、図３に示すように、外障子２０の上框２０ａの屋内側に皿ねじ６０にて固定されるスライド部材３９と、スライド部材３９と解離不能に係合されて、スライド部材３９に対して見付け方向に相対的にスライド可能な移動部材３２とを有している。
【００１９】
スライド部材３９は、棒状の部材であり、長手方向が見付け方向に沿わされるとともに、外障子２０の上框２０ａとほぼ平行をなすように固定されている。スライド部材３９は、上框２０ａ側の部位３９ａの方が、上下方向の幅が狭く、屋内側の部位３９ｂは上框２０ａ側の部位３９ａより上下に突出する突出片３９ｃが形成されて、上框２０ａ側の部位３９ａより広く形成されている。また、スライド部材３９には、上框２０ａに固定するための皿ねじ６０が貫通され屋内側が皿もみされた貫通孔３９ｄが設けられている。スライド部材３９は、上框２０ａ内に配置されるプレートナット６５とで上框２０ａの屋内側面２０ｅを挟持するようにねじ止めさる。
【００２０】
移動部材３２は、スライド部材３９を見付け方向に案内するための案内部材３６と、上レール１４ａに設けられたガイド１４ｃの収容部１４ｅに収容されて見付け方向に移動するガイド係合部材３４と、ガイド係合部材３４に設けられスリット１４ｄから下方に突出された２本のピン４０と、案内部材３６の戸先側の端部に固定され２本のピン４０と解離不能に係合して上下方向に移動可能に設けられた連結部材３７と、案内部材３６の召合せ側の端部に固定され、スライド部材３９が案内部材３６から抜けることを防止する抜け止め部材３８と、を有している。
【００２１】
案内部材３６は、上框２０ａの屋内側面２０ｅと平行に屋内側に配置される屋内側板部３６ａと、屋内側板部３６ａと見込み方向に間隔を隔てて屋内側板部３６ａの上端側と下端側とに対向するようにそれぞれ設けられた上下の対向部３６ｂと、屋内側板部３６ａの上下の縁部と上側の対向部３６ｂの上縁及び下側の対向部３６ｂの下縁とを繋ぐ上下の板部３６ｃと、を有している。上側の対向部３６ｂの下縁と下側の対向部３６ｂの上縁とは、上下方向に互いに間隔を隔てて形成されている。
【００２２】
また、案内部材３６には、屋内側板部３６ａの上端側と上側の対向部３６ｂと上側の板部３６ｃとにより、下方に開放されて案内部材３６の長手方向に沿う上側の案内溝３６ｄが設けられ、屋内側板部３６ａの下端側と下側の対向部３６ｂと下側の板部３６ｃとにより、上方に開放されて案内部材３６の長手方向に沿う下側の案内溝３６ｄが設けられている。
【００２３】
上側の案内溝３６ｄにはスライド部材３９の上側の突出片３９ｃが、また、下側の案内溝３６ｄにはスライド部材３９の下側の突出片３９ｃがそれぞれ収容されるように、移動部材３２とスライド部材３９とが係合され、スライド部材３９の上框２０ａ側の部位３９ａは、上側の対向部３６ｂと下側の対向部３６ｂとの間に配置されて上框２０ａに固定されている。このため、移動部材３２は、上框２０ａに固定されたスライド部材３９に案内されて見付け方向に、相対的にスライド可能である。ここで、上側の案内溝３６ｄ及び下側の案内溝３６ｄは、スライド部材係合部の一例である。
【００２４】
上下の案内溝３６ｄが見付け方向に沿うよう配置される案内部材３６は、見付け方向における戸先側は、連結部材３７を取り付けるために上下の対向部３６ｂと上側の板部３６ｃとが切除されており、屋内側板部３６ａには連結部材３７を取り付けるためのピン６１が貫通され屋内側に座繰りを備えた貫通孔３６ｅが設けられている。また、案内部材３６の見付け方向における召合せ側には、屋内側板部３６ａに抜け止め部材３８を取り付けるための皿ねじ６２が貫通される貫通孔３６ｆが形成されている。
【００２５】
連結部材３７は、案内部材３６の屋内側板部３６ａに取り付けられて鉛直に配置される鉛直板部３７ａと、鉛直板部３７ａの上縁から屋内側に延出されてほぼ水平面をなす水平板部３７ｂとを有している。鉛直板部３７ａには、屋内側板部３６ａと対向して当接される部位にピン６１が嵌合されるピン嵌合孔３７ｃが設けられており、水平板部３７ｂには、ピン４０が下方から貫通されるピン貫通孔３７ｄが設けられている。ピン貫通孔３７ｄは、ピン４０の軸部４０ａより僅かに大きな直径を有し、ピン４０の拡径された頭部４０ｂより小さく形成されている。
【００２６】
ガイド係合部材３４は、一対の平行な縁部３４ｂと、一対の対向する曲線を有する縁部３４ｃとで形成されるほぼ四辺形状をなす板状の部材であり、ピン４０の頭部４０ｂとは反対側の部位が固定される固定穴３４ａが設けられている。ガイド係合部材３４の一辺の平行な縁部３４ｂ間の幅は、上枠１４に設けられたスリット１４ｄの見込み方向の幅より狭く形成されており、一対の対向する曲線を有する縁部３４ｃ間の幅は、スリット１４ｄの見込み方向の幅より広く形成されている。また、ガイド係合部材３４は、スリット１４ｄの下方からスリット１４ｄに沿う方向に、一対の平行な縁部３４ｂを沿わせて収容部１４ｅ内に挿入され、挿入された後に、収容部１４ｅ内にて９０°回転可能に形成されており、９０°回転された状態にて見付け方向に移動可能に形成されている。
【００２７】
そして、外れ防止部材３０の組立、及び、取り付け方法は、まず、連結部材３７のピン貫通孔３７ｄを貫通させた２本のピン４０をガイド係合部材３４の固定穴３４ａに嵌合して、連結部材３７を、ピン４０の軸方向に移動可能、かつ、ガイド係合部材３４と解離不能に係合させる。
【００２８】
ガイド係合部材３４を係合させた連結部材３７を案内部材３６にピン６１にて固定し、抜け止め部材３８を外した状態の移動部材３２を形成する。この状態で、ガイド係合部材３４は、案内部材３６とガイド係合部材３４の一対の平行な縁部３４ｂとは、ほぼ直交するように組み立てられている。
【００２９】
外れ防止部材３０の建具１０への取り付けは、まず、外壁に設けられた矩形状の枠体１２に取り付けられた外障子２０にスライド部材３９を上框２０ａに皿ねじ６０にて固定する。スライド部材３９を固定した外障子２０は、開けた状態としてスライド部材３９を内障子２１側に移動させておく。
【００３０】
次に、抜け止め部材３８を外した状態の移動部材３２を、案内部材３６の長手方向を見込み方向に向けて、上枠１４に設けられたスリット１４ｄの下方にガイド係合部材３４を位置させる。この状態で、スリット１４ｄとガイド係合部材３４の一対の平行な縁部３４ｂとが、ほぼ平行をなしている。
【００３１】
そして、抜け止め部材３８を外した状態の移動部材３２を上昇させてガイド係合部材３４を、スリット１４ｄを通して収容部１４ｅに挿入した後、案内部材３６が上枠１４の上レール１４ａに沿うように抜け止め部材３８を外した状態の移動部材３２を９０°回転させる。
【００３２】
抜け止め部材３８を外した状態の移動部材３２が９０°回転されると、ガイド係合部材３４は、一対の平行な縁部３４ｂが見込み方向に沿わされるとともに、スリット１４ｄ上にて見込み方向に架け渡される。そして、移動部材３２の案内部材３６が見付け方向に向けられた状態にてガイド係合部材３４がガイド１４ｃに沿って見付け方向に移動可能となる。
【００３３】
次に、開けておいた外障子２０を閉める方向に移動させつつ、上框２０ａに取り付けられたスライド部材３９の上下の突出片３９ｃを、案内部材３６の上下の案内溝３６ｄに沿わせて係合させてスライド部材３９を案内部材３６内に挿入する。
【００３４】
最後に、案内部材３６の召合せ側であって上框２０ａ側に抜け止め部材３８を配置し、皿ねじ６２にて案内部材３６に固定する。この状態にて、スライド部材３９は、移動部材３２と解離不能に係合しつつ当該移動部材３２に対して相対的にスライド可能な状態となる。外れ防止部材３０を取り付けた際に、露出されるピン６１と皿ねじ６２を隠すためのシール部材６３を設けることにより、意匠性を向上させることが可能である。
【００３５】
枠体１２と外障子２０との間に取り付けられた外れ防止部材３０は、一体となった移動部材３２が、ガイド係合部材３４が上枠１４のガイド１４ｃに解離不能に係合されており、また、案内部材３６と上框２０ａに固定されたスライド部材３９とが解離不能に係合されているので、例えば地震等により大きな力が作用したり、枠体１２に歪みが生じた場合であっても外障子２０が枠体１２から外れることを防止することが可能である。また、移動部材３２は外障子２０が案内される上レール１４ａと平行に設けられたガイド１４ｃに案内されて移動するので、外障子２０と共に見付け方向に移動することが可能である。
【００３６】
ところで、上述したように、上枠１４には、内障子２１の移動を規制するストッパー１７が見付け方向の端部側に、外障子２０と内障子２１との召合せ框２０ｄ、２１ｄと上枠１４の上面部１４ｂとの間の空隙を閉塞するための風止め部材１８とが設けられている。このため、上枠１４の下方に位置する案内部材３６とガイド１４ｃに収容されたガイド係合部材３４とが連結部材３７とピン４０とにて連結されている移動部材３２は、ストッパー１７及び風止め部材１８により移動が規制されるので、外障子２０の移動可能な領域と移動部材３２の移動可能な領域とは相違する。外れ防止部材３０は、外障子２０の移動可能な領域と移動部材３２の移動可能な領域とが相違しても、外障子２０の移動可能な領域が規制されないように、スライド部材３９が案内部材３６に対し相対的にスライド可能に設けられている。
【００３７】
例えば、図４に示すように、外障子２０が閉じられていて、移動部材３２の連結部材３７がストッパー１７に当接されている状態（図４（ａ））から、外障子２０が開けられて、内障子２１の戸先側（以下、右方向という）に移動されると、外障子２０が最も開かれた状態となる前に連結部材３７が風止め部材１８に当接される（図４（ｂ））。そして、さらに外障子２０が右方向に移動されると、移動できなくなった移動部材３２の案内部材３６に沿ってスライド部材３９が相対的にスライドし、外障子２０が最も開かれた状態となる（図４（ｃ））。
【００３８】
次に、外障子２０が最も開かれて、連結部材３７が風止め部材１８に当接されている状態（図４（ｃ））から、外障子２０が閉じる方向（以下、左方向という）に移動されると、外障子２０が閉じられた状態となる前に連結部材３７がストッパー１７に当接される（図４（ｄ））。そして、さらに外障子２０が左方向に移動されると、移動できなくなった移動部材３２の案内部材３６に沿ってスライド部材３９が相対的にスライドし、外障子２０が閉じられた状態となる（図４（ａ））。
【００３９】
上記の説明では、スライド部材３９と案内部材３６との相対的なスライドの前に、移動部材３２がガイド１４ｃに沿って移動し、移動部材３２の移動が規制された後に、スライド部材３９と案内部材３６とが相対的にスライドする例について説明したが、この限りではない。スライド部材３９と案内部材３６との相対的なスライドと、移動部材３２とガイド１４ｃとの相対的な移動とは、摩擦力など負荷によって、いずれの移動またはスライドがいずれのタイミングでも発生しうるので、上記の例には限定されないが、スライド部材３９と案内部材３６との相対的なスライドと、移動部材３２とガイド１４ｃとの相対的な移動とが可能な本外れ防止部材３０を有する建具１０は、外障子２０の移動領域を阻害することなく外障子２０の枠体１２から外れることを防止することが可能である。
【００４０】
ところで、建具は、建て付け等により下レール上に載置された障子の位置を調節する必要があるが、障子に設けられたスライド部材と、上枠のガイドに解離不能に係合された移動部材とが解離不能に係合している場合には、スライド部材と移動部材とガイドとが遊び無く固定されていると、障子の位置を調節できない畏れがある。上記建具１０によれば、移動部材３２のガイド係合部材３４と、連結部材３７及び案内部材３６が一体となったスライド係合部材３５とが、ピン４０を介して上下方向における相対位置を変更可能に連結されているので、外れ防止部材３０を備えた構成でありながら外障子２０の位置を調節することが可能である。
【００４１】
また、上枠１４の収容部１４ｅに収容されるガイド係合部材３４は、収容部１４ｅと上面部１４ｂの下方の空間とを連通するスリット１４ｄを通して収容部１４ｅに挿入されるので、上枠１４を有する枠体１２が取り付けられた後であっても、移動部材３２を上枠１４に取り付けることが可能である。また、収容部１４ｅに収容されたガイド係合部材３４は回転されて、スライド部材３９と係合され抜け止め部材３８が固定されることによりガイド１４ｃと解離不能に係合されるので、容易に移動部材３２を取り付けることが可能である。
【００４２】
上記実施形態においては、移動部材３２の案内部材３６に設けられた案内溝３６ｄに沿って上框２０ａに固定されたスライド部材３９が相対的にスライドする例について説明したが、図５、図６に示す変形例のように、上框に２０ａに移動部材係合部としての案内溝７２ｄを備えたスライド部材７２が固定され、案内溝７２ｄに沿って、移動部材７４が備える板状の案内部材７６が相対的にスライドしても良い。以下の説明においては、上記実施形態と同じ部材には同一の符号を付して説明を省略する。
【００４３】
変形例の外れ防止部材７０は、上記実施形態の移動部材３２の案内部材３６に替えて板状の案内部材７６が設けられ、上框２０ａには、上記実施形態のスライド部材３９に替えて上下に案内溝７２ｄを備えたスライド部材７２が設けられている。また、ガイド係合部材７８は、ほぼ長方形状をなしているが、上記ガイド係合部材３４であっても構わない。ガイド係合部材７８が長方形状をなしている場合には、２対の対辺をなす縁部のうち少なくとも一方は、スリット１４ｄの見込み方向の幅より広く、且つ、収容部１４ｅの見込み方向の幅より僅かに狭く形成されている。
【００４４】
案内部材７６は、戸先側の端部に連結部材３７に固定するためのピン６１が貫通されるピン嵌合孔７６ａが設けられ、案内部材７６の召合せ側の端部には上框２０ａ側に突出されたスライド部材７２と係合する係合ストッパー７６ｂと、係合ストッパー７６ｂより戸先側にスライド部材７２を固定する際に皿ねじ６０が挿通され、皿ねじ６０を締め込むためのドライバーが挿通される取付用穴７６ｃとが設けられている。このため、変形例の外れ防止部材７０には、上記実施形態の移動部材３２のように抜け止め部材は設けられていない。
【００４５】
スライド部材７２は、上框２０ａの屋内側面２０ｅと対面して当接される框側板部７２ａと、框側板部７２ａと見込み方向に間隔を隔てて框側板部７２ａの上端側と下端側とに対向するようにそれぞれ屋内側に設けられた上下の対向部７２ｂと、框側板部７２ａの上下の縁部と上側の対向部７２ｂの上縁及び下側の対向部７２ｂの下縁とを繋ぐ上下の板部７２ｃと、を有している。上側の対向部７２ｂの下縁と下側の対向部７２ｂの上縁とは、上下方向に互いに間隔を隔てて形成されている。
【００４６】
また、スライド部材７２には、框側板部７２ａの上端側と上側の対向部７２ｂと上側の板部７２ｃとにより、下方に開放されてスライド部材７２の長手方向に沿う上側の案内溝７２ｄが設けられ、框側板部７２ａの下端側と下側の対向部７２ｂと下側の板部７２ｃとにより、上方に開放されてスライド部材７２の長手方向に沿う下側の案内溝７２ｄが設けられている。
【００４７】
上側の案内溝７２ｄには案内部材７６の上端部が、また、下側の案内溝７２ｄには案内部材７６の下端部がそれぞれ収容されるように、移動部材７４とスライド部材７２とが係合される。このため、移動部材７４は、上框２０ａに固定されたスライド部材７２に案内されて見付け方向に、相対的にスライド可能である。
【００４８】
また、スライド部材７２の框側板部７２ａには、スライド部材７２を上框２０ａに固定するための皿ねじ６０が貫通される貫通孔７２ｅが設けられている。
【００４９】
そして、変形例の外れ防止部材７０の組立、及び、取り付け方法は、まず、ガイド係合部材７８を係合させた連結部材３７を、スライド部材７２が挿通された案内部材７６にピン６１にて固定する。この状態で、スライド部材７２は、移動部材７４と解離不能に係合されつつ当該移動部材７４に対して相対的にスライド可能な状態となる。
【００５０】
変形例の外れ防止部材７０の建具１０への取り付けは、まず、上枠１４に設けられた収容部１４ｅに外れ防止部材７０のガイド係合部材７８を挿入して枠体１２を外壁に取り付ける。このとき、上枠１４に設けられたストッパー１７と風止め部材１８との間に外れ防止部材７０が位置するように配置する。また、ガイド係合部材７８は、スリット１４ｄから落ちないように配置する。
【００５１】
次に、障子２０、２１を取り付け、外障子２０の上框２０ａにスライド部材７２を固定する。このとき、スライド部材の貫通孔７２ｅと上框２０ａの取り付け穴及び上框２０ａ内に配置するプレートナット６５のねじ穴の位置を合わせると共に案内部材７６の取付用穴７６ｃの位置を合わせ、屋内側から皿ねじ６０を貫通させて螺合する。
【００５２】
枠体１２と外障子２０との間に取り付けられた変形例の外れ防止部材７０は、一体となった移動部材７４が、ガイド係合部材７８が上枠１４のガイド１４ｃに解離不能に係合されており、また、案内部材７６と上框２０ａに固定されたスライド部材７２とが解離不能に係合されているので、上記実施形態と同様に、例えば地震等により大きな力が作用したり、枠体１２に歪みが生じた場合であっても外障子２０が枠体１２から外れることを防止することが可能である。
【００５３】
また、スライド部材７２と案内部材７６との相対的なスライドと、移動部材７４とガイド１４ｃとの相対的な移動とが可能な変形例の外れ防止部材７０を有する建具１０も、外障子２０の移動領域を阻害することなく外障子２０の枠体１２から外れることを防止することが可能である。
【００５４】
また、スライド部材７２に見付け方に沿って設けられた案内溝７２ｄに案内部材７６の上下の部位を係合させて、スライド部材７２と移動部材７４とを見付け方向に相対的にスライドさせることが可能である。
【００５５】
また、上記建具１０によれば、移動部材７４のガイド係合部材７８と、連結部材３７及び案内部材７６が一体となったスライド係合部材７７とが、ピン４０を介して上下方向における相対位置を変更可能に連結されているので、外れ防止部材７０を備えた構成でありながら外障子２０の位置を調節することが可能である。
【００５６】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５７】
【図１】本実施形態に係る建具の構成を説明するための斜視図である。
【図２】外れ防止部材の構成を説明するための分解斜視図である。
【図３】建具の上側の部位を示す断面図である。
【図４】外れ防止部材の動作を説明するための模式図である。
【図５】変形例の外れ防止部材を示す斜視図である。
【図６】変形例の外れ防止部材の構成を説明するための分解斜視図である。
【符号の説明】
【００５８】
１０  建具、１４  上枠、１４ａ  上レール、１４ｂ  上面部、
１４ｃ  ガイド、１４ｄ  スリット、１４ｅ  収容部、
２０  外障子、２０ａ  上框、３０  外れ防止部材、３２  移動部材、
３４  ガイド係合部材、３５  スライド係合部材、３６  案内部材、
３６ｄ  案内溝、３７  連結部材、３９  スライド部材、３９ｃ  突出片、
７０  外れ防止部材、７２  スライド部材、７２ｄ  案内溝、７４  移動部材、
７６  案内部材、７７  スライド係合部材、７８  ガイド係合部材
【図１】
2009197513.tif 000003
【図２】
2009197513.tif 000004
【図３】
2009197513.tif 000005
【図４】
2009197513.tif 000006
【図５】
2009197513.tif 000007
【図６】
2009197513.tif 000008